(57)【要約】【課題】  複数の映像信号の種類及び複数のテレビジョン方式に対応することができると共に小型軽量を保ち、テレビジョンモニタとの接続も容易にできる。【解決手段】  本発明の撮像装置は、有効走査線数が所定本以上の高解像度の輝度及び色差信号よりなる高精細度映像信号のHDTV信号16と有効走査線数が所定本未満の標準解像度の輝度及び色差信号よりなる標準映像信号のSDTV信号17とを信号切り替え器11により選択的に切り替えて出力する信号と、第１または第２のテレビジョン方式の輝度及び色差信号よりなるコンポジット映像信号のNTSC/PAL 信号とを１つの映像出力端子１０にまとめて出力するものである。【選択図】        図１
2005109553.tif 000002
【特許請求の範囲】
【請求項１】
取得された映像信号を信号処理して、ケーブルを介して接続されるテレビジョンモニタに映像信号を出力する映像出力装置において、
上記テレビジョンモニタに出力される有効走査線数が所定本以上の高解像度の輝度及び色差信号よりなる高精細度映像信号を第１の出力として出力する第１の出力手段と、
上記テレビジョンモニタに出力される有効走査線数が所定本未満の標準解像度の輝度及び色差信号よりなる標準映像信号を第２の出力として出力する第２の出力手段と、
第１または第２のテレビジョン方式の輝度及び色差信号よりなるコンポジット映像信号を第３の出力として出力する第３の出力手段と、
上記第１の出力と上記第２の出力とを選択的に切り替えて第４の出力として出力する第４の出力手段と、
上記第３の出力と上記第４の出力とを１つの映像出力端子にまとめて出力されるように第５の出力手段とを設け、
上記第５の出力手段により各種テレビジョンモニタ用接続ケーブルを介して接続されるテレビジョンモニタに上記第３の出力と上記第４の出力とを出力することを特徴とする映像出力装置。
【請求項２】
請求項１記載の映像出力装置において、
上記映像出力端子に各種テレビジョンモニタ用接続ケーブルが接続されたか否か及び接続されるケーブル種類を判別する判別手段を設けたことを特徴とする映像出力装置。
【請求項３】
請求項２記載の映像出力装置において、
上記判別手段により上記映像出力端子に高精細度映像信号に対応する高精細度テレビジョンモニタ用ケーブルが使用されたと判別されたときには、上記第４の出力手段への信号切り替えをユーザーの設定により選択できるユーザー設定手段を備えたことを特徴とする映像出力装置。
【請求項４】
請求項３記載の映像出力装置において、
上記ユーザー設定手段による選択の結果を記憶する記憶手段を設けたことを特徴とする映像出力装置。
【請求項５】
請求項２記載の映像出力装置において、
上記判別手段により上記映像出力端子に各種テレビジョンモニタ用接続ケーブルが接続されていると判別されたとき、上記映像出力端子に出力されている映像信号が上記第１または第２の出力による映像信号であるか、さらに第１または第２のテレビジョン方式であるかの種類を表示する表示手段を備えたことを特徴とする映像出力装置。
【請求項６】
取得された映像信号を信号処理して、ケーブルを介して接続されるテレビジョンモニタに映像信号を映像出力装置により出力する映像出力方法において、
上記テレビジョンモニタに出力される有効走査線数が所定本以上の高解像度の輝度及び色差信号よりなる高精細度映像信号を第１の出力として第１の出力手段により出力する第１の出力ステップと、
上記テレビジョンモニタに出力される有効走査線数が所定本未満の標準解像度の輝度及び色差信号よりなる標準映像信号を第２の出力として第２の出力手段により出力する第２の出力ステップと、
第１または第２のテレビジョン方式の輝度及び色差信号よりなるコンポジット映像信号を第３の出力として第３の出力手段により出力する第３の出力ステップと、
上記第１の出力と上記第２の出力とを選択的に切り替えて第４の出力として第４の出力手段により出力する第４の出力ステップと、
上記第３の出力と上記第４の出力とを１つの映像出力端子にまとめて第５の出力手段により出力されるように第５の出力ステップとを設け、
第５の出力手段により各種テレビジョンモニタ用接続ケーブルを介して接続されるテレビジョンモニタに上記第３の出力と上記第４の出力とを出力することを特徴とする映像出力方法。
【請求項７】
請求項６記載の映像出力方法において、
上記映像出力端子に各種テレビジョンモニタ用接続ケーブルが接続されたか否か及び接続されるケーブル種類を判別手段により判別する判別ステップを設けたことを特徴とする映像出力方法。
【請求項８】
請求項７記載の映像出力方法において、
上記判別ステップにおける上記判別手段により上記映像出力端子に高精細度映像信号に対応する高精細度テレビジョンモニタ用ケーブルが使用されたと判別されたときには、上記第４の出力手段への信号切り替えをユーザー設定手段によるユーザーの設定により選択できるユーザー設定ステップを備えたことを特徴とする映像出力方法。
【請求項９】
請求項８記載の映像出力方法において、
上記ユーザー設定ステップにおける上記ユーザー設定手段による選択の結果を記憶手段に記憶する記憶ステップを設けたことを特徴とする映像出力方法。
【請求項１０】
請求項７記載の映像出力方法において、
上記判別ステップにおける上記判別手段により上記映像出力端子に各種テレビジョンモニタ用接続ケーブルが接続されていると判別されたとき、上記映像出力端子に出力されている映像信号が上記第１または第２の出力による映像信号であるか、さらに第１または第２のテレビジョン方式であるかの種類を表示手段により表示する表示ステップを備えたことを特徴とする映像出力方法。
【発明の詳細な説明】
【技術分野】
【０００１】
本発明は、ケーブルを介して接続されるテレビジョンモニタに映像信号を出力する映像出力装置及び映像出力方法に関する。
【背景技術】
【０００２】
現在、国内ではテレビジョン（TV）モニタとしてNTSC方式のテレビジョンモニタ以外にハイビジョン放送に対応した大型のモニタも市場に多く出回っている。
【０００３】
このハイビジョンTV用のモニタはNTSC（National Television System Committee）方式の有効画素数がおよそ横７２０×縦４８０の標準映像信号（SD（Standard definition）信号）による標準画像に対して有効画素数が横１９２０×縦１０８０程度の解像度を有しており、NTSC方式のテレビジョンに比べて高画質、高精細な映像信号（HD（High definition）信号）による高精細画像を表現できるものとなっている。
【０００４】
ここで、NTSC方式とハイビジョン方式は信号に互換性がないため、テレビジョンモニタの映像入力端子はその方式毎に別々の端子が用意されていた。
テレビジョンモニタと接続して画像を表示させる電子機器においても、従来のNTSC方式にも対応しながら一方でハイビジョン用のモニタの性能を生かすためには複数のテレビジョン方式に対応する必要があった。
【０００５】
また、特許文献１には、HDTV信号を変換して、現行方式の順次走査方式または飛び越し走査方式の映像信号を切り替えて出力することを目的として、映像信号を供給するカメラと、供給された映像信号を伝送する光ファイバーと、伝送された映像信号を信号処理するＣＣＵとを備えた映像信号伝送装置において、走査方式に合わせて映像信号の有効垂直ライン数を変換するダウンコンバート回路２０、Ｄ１エンコード回路２１、Ｄ２エンコード回路２２、プログレッシブエンコード回路２３とを備え、映像信号の信号方式を切り替えると共に、走査方式を選択的に変換することにより、異なる走査方式の出力映像信号を同時にまたは選択的に切り替えて出力するので、他の映像信号の系統を複数設ける必要がなくなり、コストダウンを図ることができる映像信号伝送装置が開示されている。
【０００６】
【特許文献１】特開２０００−１０１８６７号公報
【発明の開示】
【発明が解決しようとする課題】
【０００７】
しかしながら、小型軽量化が望まれる電子機器においてはテレビジョン方式別に対応した複数の画像出力端子を備えることは出来ず、またテレビジョンモニタとの接続の組み合わせが増えるため、ユーザーが間違った接続をしてしまう可能性があるという不都合があった。
【０００８】
また、特許文献１では、映像信号の信号方式を切り替えると共に、走査方式を選択的に変換することにより、異なる走査方式の出力映像信号を同時にまたは選択的に切り替えて出力することにより、一つの電子機器で複数のテレビジョン方式に対応する点が開示されているのみで、テレビジョンモニタとの接続については何ら記載されておらず、接続の際にユーザーが接続の正否を確認することができないという不都合があった。
【０００９】
この発明は、本発明はこのような状況に鑑みてなされたものであり、複数の映像信号の種類及び複数のテレビジョン方式に対応することができると共に小型軽量を保ち、テレビジョンモニタとの接続も容易にできるようにする映像出力装置及び映像出力方法を提供することを課題とする。
【課題を解決するための手段】
【００１０】
上記課題を解決し、本発明の目的を達成するため、本発明の映像出力装置は、テレビジョンモニタに出力される有効走査線数が所定本以上の高解像度の輝度及び色差信号よりなる高精細度映像信号を第１の出力として出力する第１の出力手段と、テレビジョンモニタに出力される有効走査線数が所定本未満の標準解像度の輝度及び色差信号よりなる標準映像信号を第２の出力として出力する第２の出力手段と、第１または第２のテレビジョン方式の輝度及び色差信号よりなるコンポジット映像信号を第３の出力として出力する第３の出力手段と、第１の出力と第２の出力とを選択的に切り替えて第４の出力として出力する第４の出力手段と、第３の出力と第４の出力とを１つの映像出力端子にまとめて出力されるように第５の出力手段とを設け、第５の出力手段により各種テレビジョンモニタ用接続ケーブルを介して接続されるテレビジョンモニタに第３の出力と第４の出力とを出力するものである。
【００１１】
これにより、有効走査線数が所定本以上の高解像度の輝度及び色差信号よりなる高精細度映像信号の第１の出力と有効走査線数が所定本未満の標準解像度の輝度及び色差信号よりなる標準映像信号の第２の出力とを選択的に切り替えて出力する第４の出力と、第１または第２のテレビジョン方式の輝度及び色差信号よりなるコンポジット映像信号を第３の出力とを１つの映像出力端子にまとめて出力することにより、複数の映像信号の種類及び複数のテレビジョン方式に対応することができ、テレビジョンモニタとの接続も容易にすることができる。
【００１２】
また、本発明の映像出力方法は、テレビジョンモニタに出力される有効走査線数が所定本以上の高解像度の輝度及び色差信号よりなる高精細度映像信号を第１の出力として第１の出力手段により出力する第１の出力ステップと、テレビジョンモニタに出力される有効走査線数が所定本未満の標準解像度の輝度及び色差信号よりなる標準映像信号を第２の出力として第２の出力手段により出力する第２の出力ステップと、第１または第２のテレビジョン方式の輝度及び色差信号よりなるコンポジット映像信号を第３の出力として第３の出力手段により出力する第３の出力ステップと、第１の出力と第２の出力とを選択的に切り替えて第４の出力として第４の出力手段により出力する第４の出力ステップと、第３の出力と第４の出力とを１つの映像出力端子にまとめて第５の出力手段により出力されるように第５の出力ステップとを設け、第５の出力手段により各種テレビジョンモニタ用接続ケーブルを介して接続されるテレビジョンモニタに第３の出力と第４の出力とを出力するものである。
【００１３】
これにより、有効走査線数が所定本以上の高解像度の輝度及び色差信号よりなる高精細度映像信号の第１の出力と有効走査線数が所定本未満の標準解像度の輝度及び色差信号よりなる標準映像信号の第２の出力とを選択的に切り替えて出力する第４の出力と、第１または第２のテレビジョン方式の輝度及び色差信号よりなるコンポジット映像信号を第３の出力とを１つの映像出力端子にまとめて出力することにより、複数の映像信号の種類及び複数のテレビジョン方式に対応することができ、テレビジョンモニタとの接続も容易にすることができる。
【発明の効果】
【００１４】
本発明によれば、複数の映像信号の種類及び複数のテレビジョン方式に対応した各種映像信号を１つの映像出力端子にまとめて出力することにより、従来のNTSC/PAL方式のテレビジョンモニタにもハイビジョン方式のテレビジョンモニタにも同一の映像出力端子に各種テレビジョンモニタ用接続ケーブルを介して容易に接続をすることができる。
【００１５】
また、判別手段により映像出力端子に各種テレビジョンモニタ用接続ケーブルが接続されていると判別されたとき、映像出力装置本体の表示手段に、映像出力端子から各種テレビジョンモニタ用接続ケーブルを介してテレビジョンモニタに出力されている映像信号の種類及びテレビジョン方式が表示されるので、接続の確認を容易にすることができる。
【発明を実施するための最良の形態】
【００１６】
以下、本発明の実施の形態を、図面を参照して説明する。
図１は、本発明の実施の形態による撮像装置の構成を示すブロック図である。
図１において、撮像部１は光学系により結像された被写体映像を固体撮像素子より読み出し、映像信号として出力する。RAM２（Random Access Memory）はCPU（Central Processing Unit）７とバス（BUS）０により接続されたメモリである。フラッシュ（Flush）ROM（read only Memory）3はCPU７とバス（BUS）０により接続された書き換え可能なＲＯＭである。
【００１７】
LAN（Local Area Network） インターフェース（Ｉ/Ｆ）４はCPU７を外部ネットワークとの接続を行うインターフェースである。画像メモリ５はDSP（Digital Signal Processor）6により処理された画像データを一時的に記憶する。DSP６は撮像部１から取り込んだ映像信号に自動露出やホワイトバランス処理等を行う。またDSP６は、CPU７から圧縮の要求があった場合は画像メモリ５に一時的に記憶されている画像データの圧縮処理を行い、結果をRAM２に転送し、伸張の要求があった場合はRAM2のデータを伸張処理を行い結果を画像メモリ５に転送する。
【００１８】
CPU７はフラッシュ（Flush）ROM３に記録されているプログラムを実行し、撮像装置全体の制御を行う。表示装置８は画像メモリ５に一時記憶されている画像データにＯＳＤ（On Screen Display）を加えた画像が表示される。PCモニタ９はパーソナルコンピュータ用モニタのインターフェースで画像メモリ５に一時記憶されている画像データが表示される。
【００１９】
映像出力端子１０はテレビジョンモニタ接続用ケーブルとの接続用端子で、オーディオ（AUDIO）信号１４、NTSC/PAL信号１５、HDTV信号１６とSDTV信号１７のうち選択された信号が出力される。またケーブルの接続状態及び接続されたケーブルの種類の判別信号１９がCPU７に通知される。
【００２０】
信号切り替え器１１はDSP６からHDTV信号とSDTV信号が入力され、CPU７からの切り替え信号１８にて選択されたTV信号を映像出力端子１０に出力する。外部記憶媒体１２は、記録時はRAM２に一時記憶されている映像圧縮信号を書き込み、再生時は記憶されている映像圧縮信号をRAM２へ読み出す。
【００２１】
ここで、HDTV信号１６を出力するDSP６は、テレビジョンモニタに出力される有効走査線数が所定本以上の高解像度の輝度及び色差信号よりなる高精細度映像信号を第１の出力として出力する第１の出力手段を構成する。
【００２２】
また、SDTV信号１７を出力するDSP６は、テレビジョンモニタに出力される有効走査線数が所定本未満の標準解像度の輝度及び色差信号よりなる標準映像信号を第２の出力として出力する第２の出力手段を構成する。
【００２３】
また、NTSC/PAL（Phase Alternation by Line）信号１５を出力するDSP６は、第１または第２のテレビジョン方式の輝度及び色差信号よりなるコンポジット映像信号を第３の出力として出力する第３の出力手段を構成する。
【００２４】
また、信号切り替え器１１は、第１の出力と第２の出力とを選択的に切り替えて第４の出力として出力する第４の出力手段を構成する。
【００２５】
また、映像出力端子１０は、第３の出力と第４の出力とを１つの映像出力端子１０にまとめて出力されるように第５の出力手段を構成し、第５の出力手段により各種テレビジョンモニタ用接続ケーブルを介して接続されるテレビジョンモニタに第３の出力と第４の出力とを出力するように構成される。
【００２６】
また、CPU７は、映像出力端子１０に各種テレビジョンモニタ用接続ケーブルが接続されたか否か及び接続されるケーブル種類を判別する判別手段を構成する。
【００２７】
また、ユーザー設定部２０は、判別手段により映像出力端子１０に高精細度映像信号に対応する高精細度テレビジョンモニタ用ケーブルが使用されたと判別されたときには、第４の出力手段への信号切り替えをユーザーの設定により選択できるユーザー設定手段を構成する。
【００２８】
また、フラッシュ（Flush）ROM３は、ユーザー設定手段による選択の結果を記憶する記憶手段を構成する。
表示装置８は、判別手段により映像出力端子１０に各種テレビジョンモニタ用接続ケーブルが接続されていると判別されたとき、映像出力端子１０に出力されている映像信号が第１または第２の出力による映像信号であるか、さらに第１または第２のテレビジョン方式であるかの種類を表示する表示手段を構成する。
【００２９】
これにより、複数の映像信号の種類及び複数のテレビジョン方式に対応した各種映像信号を１つの映像出力端子１０にまとめて出力することにより、従来のNTSC/PAL方式のテレビジョンモニタにもハイビジョン方式のテレビジョンモニタにも同一の映像出力端子１０に各種テレビジョンモニタ用接続ケーブルを介して容易に接続をすることができる。
【００３０】
図２は、テレビジョンモニタ用接続ケーブル配線図であり、図２ＡはNTSC/PAL方式TV用ケーブル配線例、図２Ｂはハイビジョン方式TV用ケーブル配線例である。
まず、映像出力端子１０に標準映像信号に対応したNTSC/PAL方式TV用ケーブルが接続された場合を説明する。
【００３１】
図２Ａにおいて、映像出力端子１０の、左オーディオ信号を出力するAUDIO L端子２１−１、左オーディオ信号用グランドAUDIO L GND端子２１−２、右オーディオ信号を出力するAUDIO R端子２２−１、右オーディオ信号用グランドAUDIO R GND端子２２−２、ビデオ輝度信号（Y）／色信号（C）を出力するVIDEO Y/C端子２３−１、及びビデオ輝度信号（Y）／色信号（C）用グランドVIDEO Y/C GND端子２３−２に対して、図示しないコネクタを介してNTSC/PAL方式TV用ケーブル３３が接続され、NTSC/PAL方式TV用端子３４には図示しないNTSC/PAL方式テレビジョンモニタが接続される。
【００３２】
ここで、映像出力端子１０の上述した端子にNTSC/PAL方式TV用ケーブル３３が接続されると、これと同時に、映像出力端子１０の、ケーブル接続検出端子２４−１とグランドGND端子２４−２とが、２５で示すように接続される。これにより、ケーブル接続検出端子２４−１の電圧レベルがグランドレベルになるので、映像出力端子１０はこのNTSC/PAL方式TV用ケーブル３３が接続された状態を接続及びケーブル種類検出信号としてCPU７へ供給することができる。
【００３３】
次に、映像出力端子１０に高精細度映像信号に対応したハイビジョン方式TV用ケーブルが接続された場合を説明する。
図２Ｂにおいて、映像出力端子１０の、左オーディオ信号を出力するAUDIO L端子２６−１、左オーディオ信号用グランドAUDIO L GND端子２６−２、右オーディオ信号を出力するAUDIO R端子２７−１、右オーディオ信号用グランドAUDIO R GND端子２７−２、ビデオ輝度信号（Y）を出力するVIDEO Y端子２８−１、及びビデオ輝度信号（Y）用グランドVIDEO Y GND端子２８−２、ビデオ色差信号（Pb）を出力するVIDEO Pb端子２９−１、及びビデオ色差信号（Pb）用グランドVIDEO Pb GND端子２９−２、ビデオ色差信号（Pｒ）を出力するVIDEO Pr端子３０−１、及びビデオ色差信号（Pｒ）用グランドVIDEO Pｒ GND端子３０−２に対して、図示しないコネクタを介してハイビジョン方式TV用ケーブル３５が接続され、ハイビジョン方式TV用端子３６には図示しないハイビジョン方式テレビジョンモニタが接続される。
【００３４】
ここで、映像出力端子１０の上述した端子にハイビジョン方式TV用ケーブル３５が接続されると、これと同時に、映像出力端子１０の、ケーブル種類判別端子３１−１とケーブル接続検出端子３１−２とグランドGND端子３１−３とが、３２で示すように接続される。これにより、ケーブル種類判別端子３１−１及びケーブル接続検出端子３１−２の電圧レベルがグランドレベルになるので、映像出力端子１０はこのハイビジョン方式TV用ケーブル３５が接続された状態を接続及びケーブル種類検出信号としてCPU７へ供給することができる。
【００３５】
図３は、映像出力状態を表示装置８に表示するための動作を示すフローチャートである。
まず、始めにステップS１で、CPU７は、映像出力端子１０にケーブルが接続されているか否かの判断を行い、接続されていない場合はステップS４で、表示装置８に未接続を表す表示を行う
【００３６】
ステップS１でケーブルが接続されている場合はステップS２へ移行して、CPU７は、そのケーブルが高精細度映像信号に対応したハイビジョン方式テレビジョンモニタ（HDTV）用のものであるか否かを判断する。
【００３７】
ステップS２で、ハイビジョンモニタ用のケーブルが接続されていた場合は、ステップS３へ移行して、CPU７は、高精細度映像信号によるHDTV信号を出力するか標準映像信号によるSDTV信号を出力する否かのユーザー設定部２０によるユーザー設定の判断を行う。
【００３８】
ステップS３でユーザー設定が高精細度映像信号によるHDTV信号出力の場合は、ステップS６へ移行して、CPU７は、表示装置８に高精細度映像信号によるハイビジョン方式テレビジョンモニタ（HDTV）出力モードを表す表示を行う。
【００３９】
ステップS３で、ユーザー設定が標準映像信号によるSDTV信号出力の場合は、ステップS７へ移行して、CPU７は、表示装置８に標準映像信号による標準方式テレビジョンモニタ（STDV）出力モードを表す表示を行う。
【００４０】
ステップS２で、NTSC/PALモニタ用のケーブルが接続されていた場合は、ステップS５へ移行して、CPU７は、テレビジョン方式がNTSC方式のTV信号を出力するかPAL方式のTV信号を出力するか否かのユーザー設定部２０によるユーザー設定の判断を行う。
【００４１】
ステップS５で、ユーザー設定がNTSC方式のTV信号出力の場合は、ステップS８へ移行して、CPU７は、表示装置８にNTSCモードを表す表示を行い、ユーザー設定がPAL方式のTV信号出力の場合は、ステップS９へ移行して、CPU７は、表示装置８にPALモードを表す表示を行う。
【００４２】
図４は、撮像装置の画面表示例を示す図である。
図４において、４１は、映像出力端子１０にハイビジョン方式テレビジョンモニタ（HDTV）用ケーブルが接続され、ユーザーがユーザー設定部２０により高精細度映像信号によるHDTV信号の1024ラインのインターレース信号を選択している場合の表示装置８への画像表示例である。この場合、CPU７により表示装置８に、VIDEO OUT [ＨＤ 1024i]が表示される。
【００４３】
また、４２は、映像出力端子１０にハイビジョン方式テレビジョンモニタ（HDTV）用ケーブルが接続され、ユーザーがユーザー設定部２０により標準映像信号によるSDTV信号の480ラインのインターレース信号を選択している場合の表示装置８への画面表示例である。この場合、CPU７により表示装置８に、VIDEO OUT [ＨＤ 480i]が表示される。
【００４４】
また、４３は、映像出力端子１０にケーブルが接続されていない場合の表示装置８への画面表示例である。この場合、CPU７により表示装置８に、VIDEO OUT [・・・・]が表示される。
【００４５】
また、４４は、映像出力端子１０にテレビジョン方式の別によるNTSC/PAL用ケーブルが接続され、ユーザーがユーザー設定部２０によりNTSC信号を選択している場合の表示装置８への画面表示例である。この場合、CPU７により表示装置８に、VIDEO OUT [NTSC]が表示される。
【００４６】
また、４５は、映像出力端子１０にテレビジョン方式の別によるNTSC/PAL用ケーブルが接続され、ユーザーがユーザー設定部２０によりPAL信号を選択している場合の表示装置８への画面表示例である。この場合、CPU７により表示装置８に、VIDEO OUT [PAL]が表示される。
【００４７】
これにより、映像出力装置本体の表示装置８に、映像出力端子１０から各種テレビジョンモニタ用接続ケーブルを介してテレビジョンモニタに出力されている映像信号の種類及びテレビジョン方式が表示されるので、接続の確認を容易にすることができる。
【００４８】
なお、図３に示したフローチャート及び図4の画面表示例の、HDモード表示、SDモード表示、NTSCモード表示およびPALモード表示のとき、それぞれの場合で、例えばNTSC用のモニタにPAL方式の映像信号が入力された場合、NTSC方式用のモニタには正しい画像表示が行われない。この場合は撮像装置本体側の表示装置８に４５で示したように「PAL」の表示がされるので、ユーザーは接続間違いに気付くことができる。
【産業上の利用可能性】
【００４９】
撮像装置をケーブルを介して例えばNTSC方式のテレビジョンモニタに接続されるときとハイビジョン用のモニタに接続されたときに利用可能である。
【図面の簡単な説明】
【００５０】
【図１】本発明の実施の形態による撮像装置の構成を示すブロック図である。
【図２】テレビジョンモニタ用接続ケーブル配線図であり、図２ＡはNTSC/PAL方式TV用ケーブル配線例、図２Ｂはハイビジョン方式TV用ケーブル配線例である。
【図３】映像出力状態を表示装置に表示するための動作を示すフローチャートである。
【図４】撮像装置の画面表示例を示す図である。
【符号の説明】
【００５１】
１…撮像部、２…RAM、３…Flush ROM、４…LAN I/F、５…画像メモリ、６…DSP、７…CPU、８…表示装置、９…PCモニタI/F、１０…映像出力端子、１１…信号切り替え器、１２…外部記憶媒体、１３…USB I/F 、１５…NTSC/PAL 信号、１６…HDTV信号、１７…SDTV信号、１８…切り替え信号、１９…接続及びケーブル種類検出信号、２０…ユーザー設定部、２４−１、３１−２…ケーブル接続検出端子、３１−１…ケーブル種類判別端子、３３…NTSC/PAL方式TV用ケーブル、３４…NTSC/PAL方式TV用端子、３５…ハイビジョン方式TV用ケーブル、３６…ハイビジョン方式TV用端子、４１…ハイビジョン方式TV接続でHD１０２４インターレース画面表示、４２…ハイビジョン方式TV接続でSD４８０インターレース画面表示、４３…ケーブル非接続画面表示、４４…NTSC/PAL方式TV用ケーブル接続でNTSC画面表示、４５…NTSC/PAL方式TV用ケーブル接続でPAL画面表示
【図１】
2005109553.tif 000003
【図２】
2005109553.tif 000004
【図３】
2005109553.tif 000005
【図４】
2005109553.tif 000006